(57)【要約】【課題】隙間調整用のシムの連れ回りを防止し、さらにその装着が容易なピンジョイントを提供する。【解決手段】ピンにより一方の部材を他方の部材に回動自在に連結し両部材の間の軸線方向の隙間をその間に該ピンを通し挟んだシムによって調整するピンジョイントにおいて、シム１０が外周縁に半径方向に延びる凹部１０ｃを備え、その外方に位置した他方の部材８がこの凹部１０ｃに対応する凸部８ａを備え、シム１０自体を回動させ対応する凹部１０ｃと凸部８ａを嵌合させることにより、シム１０の回動が他方の部材８に固定される。【選択図】図２
2014084928.tif 000002
【特許請求の範囲】
【請求項１】
ピンにより一方の部材を他方の部材に回動自在に連結し両部材の間の軸線方向の隙間をその間に該ピンを通し挟んだ１または複数枚のシムによって調整するピンジョイントにおいて、
該シムが外周縁に半径方向に延びる凹部または凸部を備え、
その外方に位置した他方の部材がこの凹部または凸部に対応する凸部または凹部を備え、
シム自体を回動させ対応する凹部と凸部を嵌合させることにより、該シムの回動が他方の部材に固定される、
ことを特徴とするピンジョイント。
【請求項２】
シムに形成した凹部または凸部が、他方の部材の凸部または凹部への合体嵌合を案内する弾性変形部を備えている、
ことを特徴とする請求項１記載のピンジョイント。
【請求項３】
複数枚備えたシムの内の一方の部材側に位置する１または複数枚のシムが、
前記の凹部または凸部に代えて外周縁に、軸線方向に折り曲げ可能な突起部を備え、
隣接する他方の部材側のシムが外周縁に、折り曲げたこの突起部が嵌合しシム相互の回動を固定する切欠部を備えている、
ことを特徴とする請求項１または２記載のピンジョイント。
【発明の詳細な説明】
【技術分野】
【０００１】
本発明は、隙間調整用のシムの連れ回り防止機構を備えたピンジョイントに関する。
【背景技術】
【０００２】
例えば油圧ショベルのような作業機は、一方の部材を他方の部材にピンによって回動自在に連結する周知のピンジョイントを多数備え、このピンジョイントには、一方の部材と他方の部材の間の軸線方向の隙間を調整するための、ピンを通しその間に挟んだシムを備えている。
【０００３】
このシムは、狭い隙間への着脱を容易にするために、作業者が手で掴み作業できるように外方に突出した１個または複数個の「耳」を備えている（例えば、特許文献１の「持部」参照）。
【先行技術文献】
【特許文献】
【０００４】
【特許文献１】特開２００２−３３９９４６号公報（図１）
【発明の概要】
【発明が解決しようとする課題】
【０００５】
上述したとおりの形態の従来のピンジョイントには、このシムに関連して次のとおりの解決すべき課題がある。
【０００６】
図６を参照して説明する。すなわち、一方の部材６と他方の部材８の間に挟まれたシム５０が、一方の部材６の回動に連れて回り、シム５０の外方に突出した耳５０ａ（図示は２個）が、他方の部材８に対して接触して回るため、他方の部材８の接触部分（二点鎖線で示す円周内）の塗装を傷つける、またこの部分に錆が発生するなどの問題がある。
【０００７】
本発明は上記事実に鑑みてなされたもので、その技術的課題は、隙間調整用のシムの連れ回りを防止し、さらにその装着が容易なピンジョイントを提供することである。
【課題を解決するための手段】
【０００８】
本発明によれば上記技術的課題を解決するピンジョイントとして、ピンにより一方の部材を他方の部材に回動自在に連結し両部材の間の軸線方向の隙間をその間に該ピンを通し挟んだ１または複数枚のシムによって調整するピンジョイントにおいて、該シムが外周縁に半径方向に延びる凹部または凸部を備え、その外方に位置した他方の部材がこの凹部または凸部に対応する凸部または凹部を備え、シム自体を回動させ対応する凹部と凸部を嵌合させることにより、該シムの回動が他方の部材に固定される、ことを特徴とするピンジョイントが提供される。
【０００９】
好適には、シムに形成した凹部または凸部が、他方の部材の凸部または凹部への合体嵌合を案内する弾性変形部を備えている。
【００１０】
他の形態においては、複数枚備えたシムの内の一方の部材側に位置する１または複数枚のシムが、前記の凹部または凸部に代えて外周縁に、軸線方向に折り曲げ可能な突起部を備え、隣接する他方の部材側のシムが外周縁に、折り曲げたこの突起部が嵌合しシム相互の回動を固定する切欠部を備えている。
【発明の効果】
【００１１】
本発明に従って構成されたピンジョイントは、シムが外周縁に半径方向に延びる凹部または凸部を備え、その外方に位置した他方の部材がこの凹部または凸部に対応する凸部または凹部を備え、シム自体を回動させ対応する凹部と凸部を嵌合させることにより、該シムの回動が他方の部材に固定される。
【００１２】
したがって、隙間調整用のシムの連れ回りを防止し、さらに装着が容易なピンジョイントを提供できる。
【図面の簡単な説明】
【００１３】
【図１】本発明に従って構成されたピンジョイントの断面図。
【図２】図１のＡ−Ａ矢印方向に見てシムの（ａ）回動固定前（ｂ）回動固定後を示した図。
【図３】図１のＡ−Ａ矢印方向に見て他の形態のシムの（ａ）回動固定前（ｂ）回動固定後を示した図。
【図４】シムを複数枚備えた場合の他の好適実施形態を示すピンジョイントの断面図。
【図５】図４のＢ−Ｂ矢印方向に見て（ａ）一方の部材側のシム（ｂ）他方の部材側のシムおよび（ｃ）一方の部材側のシムの他の形態を示した図。
【図６】従来のピンジョイントの（ａ）は断面図、（ｂ）は（ａ）のＣ−Ｃ矢印方向に見た断面図。
【発明を実施するための形態】
【００１４】
以下、本発明に従って構成されたピンジョイントについて、好適実施形態を図示している添付図面を参照して、さらに詳細に説明する。
【００１５】
図１を参照して説明する。全体を番号２で示すピンジョイントは、ピン４により一方の部材６を他方の部材８に回動自在に連結し両部材６，８の間の軸線Ｘ方向の隙間を調整する、ピン４を通して挟んだシム１０を備えている。
【００１６】
図１とともに図２、主として図２（ａ）「回動固定前」を参照して説明する。シム１０は平鋼板を打抜き成形して略円形に形成されている。円形の中心にはピン挿通穴１０ａが形成されている。外周縁の一部には外方に突出した一対の、シム着脱時に作業者が手で掴むための、耳１０ｂ、１０ｂが９０°の間隔で形成されている。
【００１７】
一対の耳１０ｂ、１０ｂの周方向反対側の外周縁には、半径方向に延びる凹部１０ｃが形成されている。この凹部１０ｃは、シム１０本体に備えた外周縁より内側に凹んだＬ形部１０ｄと、シム１０本体の外周縁を帯状に延び半径方向（矢印Ｙ）の変形を可能にした弾性変形部１０ｅの先端とによって形成されている。
【００１８】
凹部１０ｃの外方に位置した他方の部材８には、ピン４を中心にシム１０を回動（矢印Ｚ）させたときに、凹部１０ｃが嵌合する軸線Ｘ方向に延びた凸部８ａを備えている。
【００１９】
図２（ａ）の状態のシム１０を、ピン４を中心に作業者が、耳１０ｂに手指をかけて回動（矢印Ｚ）させると、シム１０の弾性変形部１０ｅの先端は他方の部材８の凸部８ａに当接し、内方に弾性変形して乗り越えて、図２（ｂ）「回動固定後」で示すように、凹部１０ｃと凸部８ａが嵌合し、シム１０の回動が他方の部材８に固定される。シム１０は、一方の部材６と他方の部材８の間に挟まれているため、薄いシムであってもめくれ上がらずに弾性変形することができる。
【００２０】
図３を参照してシムの他の形態について説明する。先ず図３（ａ）「回動固定前」を参照して説明する。このシム２０は、前述のシム１０の半径方向に延びる凹部１０ｃに代えて凸部２０ａを備え、凸部２０ａの外方に位置した他方の部材８には、ピン４を中心にシム２０を回動（矢印Ｚ）させたときに凸部２０ａが嵌合する軸線Ｘ方向に延びた凹部８ｂを備えている。シム２０の他の部分の形状はシム１０と共通であるので説明は省略する。
【００２１】
凸部２０ａは、シム２０本体に形成した外周縁より内側に凹んだＬ形部２０ｂと、シム２０本体から外周縁を帯状に延び半径方向（矢印Ｙ方向）の変形が可能で、先端にＬ形部２０ｂに隣接させた凸部２０ａを有する弾性変形部２０ｃを備えている。
【００２２】
図３（ａ）の状態のシム２０を、ピン４を中心に作業者が、耳１０ｂに手指をかけて回動（矢印Ｚ）させると、図３（ｂ）「回動固定後」に示すように、シム２０の弾性変形部２０ｃの先端の凸部２０ａは他方の部材８の凹部８ｂに落ち込み嵌合し、シム２０の回動が他方の部材８に固定される。
【００２３】
上記の実施形態におけるシム１０（２０）は、組立状態を示す図１では１枚であるが、複数枚であってもよい。
【００２４】
次に図４、図５を参照して、シムを複数枚備えたピンジョイント２の他の好適実施形態について説明する。この場合、複数枚のシム３０、４０の内の一方の部材６側に位置する１または複数枚のシム３０（理解を容易にするために図示は１枚）が、前記シム１０，２０の凹部１０ｃまたは凸部２０ａに代えて外周縁に、軸線Ｘ方向に折り曲げ可能な突起部３０ａを備え、隣接する他方の部材８側のシム４０（同様に図示は１枚）が外周縁に、折り曲げたこの突起部３０ａが嵌合しシム３０，４０相互の回動を固定する切欠部４０ａを備えている。
【００２５】
シム３０の突起部３０ａは、外周縁の、前記シム１０の耳１０ｂ、１０ｂに相当する一対の耳３０ｂ、３０ｂの間に、先端を外周縁にして幅Ｗ、高さＨで切り込まれ形成されている。シム４０の切欠部４０ａは、外周縁の、前記シム１０の耳１０ｂ、１０ｂに相当する一対の耳４０ｂ、４０ｂの間に、折り曲げたこの突起部３０ａが嵌合する矩形溝状に形成されている。
【００２６】
シム３０を複数枚備える場合には、図５（ｃ）に示すように、シム３０に突起部３０ａおよび切欠部４０ａを一対備え、隣接するシム３０，３０の突起部３０ａと切欠部４０ａを嵌合させて回動を固定する。
【００２７】
上述したとおりのピンジョイント２の作用効果について説明する。
【００２８】
本発明に従って構成されたピンジョイント２は、シム１０（２０）が外周縁に半径方向に延びる凹部１０ｃ（凸部２０ａ）を備え、その外方に位置した他方の部材８がこの凹部１０ｃ（凸部２０ａ）に対応する凸部８ａ（凹部８ｂ）を備え、シム１０（２０）自体を回動させ対応する凸部と凹部を嵌合させることにより、シム１０（２０）の回動が他方の部材８に固定される。
【００２９】
したがって、隙間調整用のシムの連れ回りを防止し、さらにシム自体を回転させることにより回動を固定できるので装着が容易なピンジョイント２を提供できる。
【００３０】
さらに、シム１０または２０に形成した凹部１０ｃまたは凸部２０ａは、他方の部材８の凸部８ａまたは凹部８ｂへの合体嵌合を案内する弾性変形部１０ｅまたは２０ｃを備えているので、簡単な構造で、容易に確実に、シム１０，２０の回動を他方の部材８に固定することができる。
【００３１】
また、シムを複数枚備える場合の他の形態においては、複数枚備えたシムの内の一方の部材６側に位置する１または複数枚のシム３０（理解を容易にするために図示は１枚）が、前記の凹部１０ｃまたは凸部２０ａに代えて外周縁に、軸線Ｘ方向に折り曲げ可能な突起部３０ａを備え、隣接する他方の部材８側のシム４０（同様に図示は１枚）が外周縁に、折り曲げたこの突起部３０ａが嵌合しシム３０，４０相互の回動を固定する切欠部４０ａを備えている。
【００３２】
したがって、シムを複数枚備える場合の、シム３０、シム４０同士の連れ回りを確実に防止することができる。
【符号の説明】
【００３３】
２：ピンジョイント
４：ピン
６：一方の部材
８：他方の部材
８ａ：凸部
８ｂ：凹部
１０：シム
１０ｃ：凹部
１０ｅ：弾性変形部
２０：シム
２０ｃ：弾性変形部
２０ａ：凸部
３０：シム
３０ａ：突起部
４０：シム
４０ａ：切欠部
５０：シム
【図１】
2014084928.tif 000003
【図２】
2014084928.tif 000004
【図３】
2014084928.tif 000005
【図４】
2014084928.tif 000006
【図５】
2014084928.tif 000007
【図６】
2014084928.tif 000008